(57)【要約】【課題】ケーブルの中間支持工事において、床の貫通孔を封鎖するための作業領域の拡大により作業効率の向上を図ることができ、また、ケーブルの追加通線の可能によりケーブル配線作業の融通性を図ることができるケーブル中間支持装置を提供する。【解決手段】建物における床１の貫通孔２に挿通されているケーブル３の中間部を支持するケーブル中間支持装置であって、挟持サドル本体６とその両側に立設された脚８とにより構成された床１の貫通孔２を跨いで床１上に載置される脚付挟持サドル５と、挟持サドル本体６に挟持され且つケーブル３の中間部を保持する弾性スペーサー４とを備え、ケーブル３が挿通されている床１の貫通孔２を不燃耐火剤からなるパテ１１により封鎖するようにしたものである。【選択図】　図１
2004015859.tif 000002
【特許請求の範囲】
【請求項１】
建物における床の貫通孔に挿通されているケーブルの中間部を支持するケーブル中間支持装置であって、挟持サドル本体とその両側に立設された脚とにより構成された床の貫通孔を跨いで床上に載置される脚付挟持サドルと、ケーブルの中間部を保持し且つ挟持サドル本体に挟持される弾性スペーサーとを備え、ケーブルが挿通されている床の貫通孔を不燃耐火剤からなるパテにより封鎖するようにしたことを特徴とするケーブル中間支持装置。
【請求項２】
前記脚付挟持サドルは、脚が挟持サドル本体の挟着締結ボルトにより着脱可能に締着されていることを特徴とする請求項１に記載のケーブル中間支持装置。
【請求項３】
前記脚付挟持サドルは、脚がＬ字状の板体により構成されていると共に、板体の起立部がねじり成形されていることを特徴とする請求項１又は２に記載のケーブル中間支持装置。
【請求項４】
前記弾性スペーサーは、帯状シートを巻回して構成されていることを特徴とする請求項１に記載のケーブル中間支持装置。
【発明の詳細な説明】
【０００１】
【発明の属する技術分野】
本発明は、建物における床の貫通孔に挿通されているケーブルの中間部を支持するケーブル中間支持装置に関し、詳しくは、ケーブルの中間支持工事において、床の貫通孔を封鎖するための作業領域の拡大により作業効率の向上を図ることができ、また、ケーブルの追加通線の可能によりケーブル配線作業の融通性を図ることができるケーブル中間支持装置に関するものである。
【０００２】
【従来の技術】
建物内部に配設されているケーブルは、法定で３ｍ毎の中間支持が義務づけられており、従来、ケーブルの中間支持は、建物の壁を利用して施工されていた。ところが、昨今の建物の高層化に伴い建物の軽量化が促進され、コンクリート壁から中空ボート壁施工へと変遷しているのが現状であり、この中空ボート壁施工による壁の弱体化に伴い、従来の壁を利用したケーブルの中間支持施工を行うことが困難になり、ケーブルの中間支持施工は、壁の利用から床の利用へと移行しつつある。
【０００３】
ところで、床を利用したケーブルの中間支持施工としては、図４に示すように、建物の各階の床ａに穿設された各貫通孔ｂに亘って挿通された複数のケーブルｃを各階の床ａで中間支持するにあたり、先ず、床ａの上面に貫通孔ｂを包囲するように成形筒ｄを載置し、次に、貫通孔ｂ及び成形筒ｄを貫通させた複数のケーブルｃの中間部を複数のケーブルｃの挿通形状に成形されたゴム・スペーサーｅで保持し、さらに、複数のケーブルｃを保持したゴム・スペーサーｅを挟持サドルｆで挟持し且つボルトｇで締結すると共に、挟持サドルｆを成形筒ｄの上縁に載置することにより、複数のケーブルｃを成形筒ｄと挟持サドルｆによりゴム・スペーサーｅを介して床ａの上面に支持し、最後に、耐火剤からなる床閉鎖体ｈにより貫通孔ｂと複数のケーブルｃとの間隙を閉鎖し、貫通孔ｂから成形筒ｄ内に亘る空間に耐火剤からなり乾燥硬化する充填材ｉを水と共に入れて混練し、乾燥硬化させることによりケーブルｃの中間支持施工を完了し、これにより、防火区画工事として延焼防止するものが知られている。
【０００４】
【発明が解決しようとする課題】
しかしながら、上記従来技術の床ａを利用したケーブルｃの中間支持施工においては、ケーブルｃを挟持・締結した挟持サドルｆを成形筒ｄの上縁に載置することによりケーブルｃを中間支持するものであるから、防火区画工事としての耐火剤からなる床閉鎖体ｈによる貫通孔ｂとケーブルｃとの間隙の閉鎖施工を、成形筒ｄの上方からでなければ行うことができず、貫通孔ｂが成形筒ｄにより遠くなると共に成形筒ｄにより作業領域が狭くなり、作業効率の低下を招くという不都合があった。
【０００５】
また、防火区画工事として貫通孔ｂから成形筒ｄ内に亘る空間に耐火剤からなり乾燥硬化する充填材ｉを水と共に入れて混練し、乾燥硬化させるものであるから、作業現場において水を使用するという面倒な作業となるばかりでなく、充填材ｉの乾燥硬化により、その後のケーブルｃの追加通線施工が不可能になり、ケーブルｃの配線作業に融通性が欠如するという不都合があった。
【０００６】
本発明は、上記従来技術における問題点を解決するもので、ケーブルの中間支持工事において、床の貫通孔を封鎖するための作業領域の拡大により作業効率の向上を図ることができ、また、ケーブルの追加通線の可能によりケーブル配線作業の融通性を図ることができるケーブル中間支持装置を提供することを目的とするものである。
【０００７】
【課題を解決するための手段】
上記目的を達成するために、請求項１に係る発明は、建物における床の貫通孔に挿通されているケーブルの中間部を支持するケーブル中間支持装置であって、挟持サドル本体とその両側に立設された脚とにより構成された床の貫通孔を跨いで床上に載置される脚付挟持サドルと、ケーブルの中間部を保持し且つ挟持サドル本体に挟持される弾性スペーサーとを備え、ケーブルが挿通されている床の貫通孔を不燃耐火剤からなるパテにより封鎖するようにしたものである。
【０００８】
請求項１に係る発明によれば、ケーブルの中間部を保持する弾性スペーサーは挟持サドル本体に挟持され、ケーブルは弾性スペーサーを介して挟持サドル本体に挟持されるのであるが、挟持サドル本体はその両側に脚が立設された脚付挟持サドルとして構成され、脚付挟持サドルは床の貫通孔を跨いで脚により床上に載置され、挟持サドル本体は床の貫通孔の上方に位置されるので、挟持サドル本体と床の貫通孔との間には脚が位置するのみでその他に障害物がないため、床の貫通孔をパテにより封鎖するにあたって、脚の位置以外の広い領域を利用して床の貫通孔へのパテによる封鎖作業を効率よく行うことができる。
【０００９】
また、床の貫通孔の封鎖作業をパテにより行うものであるから、床の貫通孔の封鎖作業を完了した後に、さらにケーブルを追加通線する事態が生じたとしても、パテの柔軟性を利用して床の貫通孔にケーブルを追加通線することが可能であり、ケーブル配線作業の融通性を図ることができる。しかも、作業現場において水を使用するという面倒な作業を回避することができる。
【００１０】
請求項２に係る発明は、請求項１に記載された発明において、脚付挟持サドルは、脚が挟持サドル本体の挟着締結ボルトにより着脱可能に締着されているものである。
【００１１】
請求項２に係る発明によれば、脚付挟持サドルは、脚が挟持サドル本体の挟着締結ボルトにより着脱可能に締着されているから、挟着締結ボルトを緩めて脚を挟持サドル本体から取り外すことにより、挟持サドル本体を従来の使用形態である充填材の成形筒の上縁に載置するものとしても利用することができる。
【００１２】
請求項３に係る発明は、請求項１又は２に記載された発明において、脚付挟持サドルは、脚がＬ字状の板体により構成されていると共に、板体の起立部がねじり成形されているものである。
【００１３】
請求項３に係る発明によれば、脚付挟持サドルは、脚がＬ字状の板体により構成されていると共に、板体の起立部がねじり成形されているから、脚は塑性変形により硬化されるため、ケーブルを強固に支持することできる。
【００１４】
請求項４に係る発明は、請求項１に記載された発明において、弾性スペーサーは、帯状シートを巻回して構成されているものである。
【００１５】
請求項４に係る発明によれば、弾性スペーサーは、帯状シートを巻回して構成されているから、複数のケーブルに一定の帯状シートを巻回することにより、ケーブルの各種断面サイズに対応することができる。
【００１６】
【発明の実施の形態】
以下、本発明の実施の形態を図に基づいて説明するが、本発明は、ケーブルの法定支持工事（３ｍ毎の中間支持工事）として、高層建物における各階の床の貫通孔を挿通して配線されているケーブルを、その中間部で挟持する挟持サドルにより床の上面で支持すると共に、防火区画工事（各階間の床の貫通孔の封鎖工事）として、ケーブルが挿通されている床の貫通孔を不燃耐火剤により封鎖するケーブル中間支持装置であり、特に、床の貫通孔を封鎖するための作業領域を拡大して作業効率の向上を図ると共に、ケーブルの追加通線を可能にしてケーブル配線作業の融通性を図るために、挟持サドルに脚を設けて挟持サドル本体を床の貫通孔の上方部に位置させることにより、床の貫通孔の上方部に貫通孔の封鎖作業をし易くするための作業領域を確保すると共に、床の貫通孔を封鎖する封鎖材として不燃耐火剤からなる柔軟性を有するパテを使用することにより、ケーブルの追加通線を可能にしたものであって、図１は、ケーブル中間支持装置の部分断面正面図であり、図２は、ケーブル中間支持装置の平面図であり、図３は、ケーブル中間支持装置のケーブル支持工程を示す説明図で、（イ）図は、複数のケーブルに帯状シートからなる弾性スペーサーを巻回した状態を示す説明図、（ロ）図は、ケーブルに巻回した弾性スペーサーを挟持サドル本体により挟持し、床の貫通孔を跨いで脚付挟持サドルを脚により床上に載置した状態を示す説明図、（ハ）図は、床閉鎖体により床の貫通孔とケーブルとの間隙を閉鎖した状態を示す説明図、（ニ）図は、床の貫通孔をパテにより封鎖した状態を示す説明図である。
【００１７】
図１及び図２を参照しながら、ケーブル中間支持装置の構造について説明する。１は高層建物における各階の床であり、床１にはケーブル３が挿通されるための貫通孔２が穿設されており、この各階の床１の貫通孔２に亘って複数のケーブル３が挿通され配線されている。複数のケーブル３はこれを纏めて床１に支持されるのであるが、この各階の床１によるケーブル３の支持は、各階の床１間の距離が概ね３ｍであるため、ケーブルの法定支持工事の３ｍ毎の中間支持を満足するものである。
【００１８】
先ず、床１の貫通孔２に挿通されている複数のケーブル３は、弾性スペーサー４により纏めて保持されるのであるが、本発明においては、弾性スペーサー４は塩ビゴムからなる帯状シートにより構成されており、この帯状シートからなる弾性スペーサー４を複数のケーブル３に巻回することにより、複数のケーブル３を纏めて保持するものであるから、弾性スペーサー４によるケーブル３の保持を複数のケーブル３の各種断面サイズに対応することができる。
【００１９】
次に、複数のケーブル３は、弾性スペーサー４により纏めて保持された保持部を床１に載置された脚付挟持サドル５により挟持することによって、床１の上面に支持されるのであり、この脚付挟持サドル５について説明すると、脚付挟持サドル５は、挟持サドル本体６と挟着締結ボルト７と脚８からなり、挟持サドル本体６は、中央部に弾性スペーサー４を挟持する膨出された円弧状の挟持部と、挟持部の両側にそれぞれ延設された挟着部とからなる挟持サドル単体６１の一対が対称的に対設され、且つ各一対の挟着部に貫通された挟着締結ボルト７，７とこれに螺合されている締付ナット７１，７１により締結されるべく構成されている。
【００２０】
本発明においては、この挟持サドル本体６の挟持部の両側に延設された挟着部にそれぞれ脚８が設けられており、この脚８は、一方の挟持サドル単体６１における一側の挟着部と、この挟着部と点対称をなす他方の挟持サドル単体６１における一側の挟着部とに、それぞれ挟着締結ボルト７，７に螺合されている締着ナット７２，７２により着脱可能に締着されていると共に、脚８はＬ字状の板体により構成され且つ板体の起立部はねじり成形されており、これにより、脚８は塑性変形して硬化されるため、ケーブル３を強固に支持することでき、また、挟着締結ボルト７，７及び締着ナット７２，７２を緩めて脚８を挟持サドル本体６から取り外すことにより、従来の使用形態である挟持サドル本体６を成形筒の上縁に載置するものとしても利用することができる。なお、従来の使用形態を必要としないものについては、脚８は挟持サドル単体６１と一体的に形成されていてもよい。
【００２１】
次に、図３の（ハ）図及び（ニ）図を参照しながら、弾性スペーサー４により纏めて保持された保持部を床１に載置された脚付挟持サドル５により挟持することによって、床１の上面に支持された複数のケーブル３と床１の貫通孔２との間隙を封鎖する防火区画工事について説明すると、先ず、１本のステンレス鋼線を折曲して受け部９１と吊り部９２と支持部９３とを一体的に形成した受け金具９の受け部９１と吊り部９２とを床１の貫通孔２に挿入すると共に支持部９３を床１の上面に支持し、床１の貫通孔２を外径とし複数のケーブル３の断面サイズを内径とした環状のロックウール板からなり、且つ径方向に一条の切目を有する床閉鎖体１０を、複数のケーブル３に被着した状態で受け金具９の受け部９１により保持した後に、床閉鎖体１０の上方部における複数のケーブル３と床１の貫通孔２との間隙へ不燃耐火剤からなるパテ１１を充填して盛上げ状に封鎖するものである。
【００２２】
本発明は上述のような形態により実施をするものであるから、挟持サドル本体６はその両側に脚８が立設された脚付挟持サドル５として構成されており、この脚付挟持サドル５はその両側の脚８により床１の貫通孔２を跨いで床１上に載置されて、挟持サドル本体６は床１の貫通孔２の上方に位置されるから、挟持サドル本体６と床１の貫通孔２との間には脚８が位置するのみでその他に障害物が存在しないため、床１の貫通孔２をパテ１１により封鎖するにあたって、床１の貫通孔２周辺領域における脚８の位置以外の広い作業領域を利用することにより、床１の貫通孔２へのパテ１１による封鎖作業を効率よく行うことができる。
【００２３】
また、床１の貫通孔２の封鎖作業をパテ１１により行うものであるから、床１の貫通孔２の封鎖作業を完了した後に、さらにケーブル３を追加通線する事態が生じたとしても、パテ１１の柔軟性を利用することにより、床１の貫通孔２に新たなケーブル３を追加通線することが可能であり、ケーブル配線作業の融通性を図ることができる。しかも、ケーブル３の配線作業現場において水を使用するという面倒な作業を回避することもできる。
【００２４】
【発明の効果】
以上のように構成される本発明によると、ケーブルは弾性スペーサーを介して挟持サドル本体に挟持されるのであるが、挟持サドル本体は脚が装着された脚付挟持サドルとして構成され、脚付挟持サドルは床の貫通孔を跨いで脚により床上に載置され、挟持サドル本体は床の貫通孔の上方に位置されるので、挟持サドル本体と床の貫通孔との間には脚が位置するのみでその他に障害物がないため、床の貫通孔をパテにより封鎖するにあたって、脚の位置以外の広い領域を利用して床の貫通孔へのパテによる封鎖作業を効率よく行うことができ、また、床の貫通孔の封鎖作業をパテにより行うものであるから、床の貫通孔の封鎖作業を完了した後に、さらにケーブルを追加通線する事態が生じたとしても、パテの柔軟性を利用して床の貫通孔にケーブルを追加通線することが可能であり、ケーブル配線作業の融通性を図ることができる。しかも、作業現場において水を使用するという面倒な作業を回避することができる。
【図面の簡単な説明】
【図１】本発明に係るケーブル中間支持装置の部分断面正面図である。
【図２】本発明に係るケーブル中間支持装置の平面図である。
【図３】本発明に係るケーブル中間支持装置のケーブル支持工程を示す説明図であり、（イ）図は、複数のケーブルに帯状シートからなる弾性スペーサーを巻回した状態を示す説明図、（ロ）図は、ケーブルに巻回した弾性スペーサーを挟持サドル本体により挟持し、床の貫通孔を跨いで脚付挟持サドルを脚により床上に載置した状態を示す説明図、（ハ）図は、床閉鎖体により床の貫通孔とケーブルとの間隙を閉鎖した状態を示す説明図、（ニ）図は、床の貫通孔をパテにより封鎖した状態を示す説明図である。
【図４】従来技術の半裁断面正面図である。
【符号の説明】
１　…床
２　…貫通孔
３　…ケーブル
４　…弾性スペーサー
５　…脚付挟持サドル
６　…挟持サドル本体
７　…挟着締結ボルト
８　…脚
１１…パテ
【図１】
2004015859.tif 000003
【図２】
2004015859.tif 000004
【図３】
2004015859.tif 000005
【図４】
2004015859.tif 000006